(57)【特許請求の範囲】
【請求項１】
木質基材の裏面にコード状ヒータによる発熱回路を組み込んだ電気式床暖房パネルであって、
前記コード状ヒータは、第１と第２の２本のヒータ線と１本の検知線とからなり、前記第１のヒータ線と前記検知線とはそれぞれが第１の被覆樹脂で被覆されており、前記第２のヒータ線は前記第１の被覆樹脂の溶融温度よりも高い溶融温度を持つ第２の被覆樹脂で被覆されている３線式コード状ヒータであり、
前記発熱回路には、少なくとも前記第１の被覆樹脂が溶融することにより生じる前記第１のヒータ線と前記検知線との短絡により前記検知線に流れる電流に起因して溶断するヒューズが前記第２のヒータ線側に接続されており、
前記３線式コード状ヒータの前記第１と第２の２本のヒータ線の一方端は直接的にまたは間接的に電源に接続しており、他方端は互いに接続しており、
前記３線式コード状ヒータの前記第１と第２の２本のヒータ線の一方端側は木質基材側に配線してある電源線からのリード線と直接またはヒューズを介して結線しており、各結線箇所は、木質基材の長手方向または幅方向またはその双方向に分散するように、前記結線箇所ごとに前記木質基材の裏面に独立して形成された空所内に配置されていることを特徴とする電気式床暖房パネル。
【請求項２】
前記ヒューズが前記検知線に流れる電流が抵抗器に流れて発熱することに起因して溶断するヒューズであることを特徴とする請求項１に記載の電気式床暖房パネル。
【請求項３】
前記ヒューズが抵抗器付き温度ヒューズであり、前記検知線は前記抵抗器付き温度ヒューズの抵抗器に接続していることを特徴とする請求項２に記載の電気式床暖房パネル。
【請求項４】
木質基材の裏面に緩衝材層が貼着されていることを特徴とする請求項１ないし３のいずれか１項に記載の電気式床暖房パネル。
【請求項５】
請求項１ないし４いずれか１項に記載の電気式床暖房パネルの複数枚が並列接続した状態で床下地面に敷き詰められていることを特徴とする電気式床暖房装置。
【発明の詳細な説明】
【技術分野】
【０００１】
本発明は、発熱源であるコード状ヒータを組み込んだ電気式床暖房パネルと、その複数枚が電気的に接続して床下地面に敷き詰られて形成される電気式床暖房装置に関する。
【背景技術】
【０００２】
木質基材の裏面にコード状ヒータによる発熱回路を組み込んだ電気式床暖房パネルの複数枚を電気的に接続しながら床下地面に敷き詰め、コントローラを介して電気式床暖房パネルに所要の電力を供給するようにした電気式床暖房装置は知られている（特許文献１等参照）。コントローラには、加熱エリアの特定、通電の開始と停止、定常運転モードでの温度レベル設定、などの機能が備えられ、電気式床暖房装置の安全性を確保している。
【０００３】
【特許文献１】特開２００６−３０８２０２号公報
【発明の開示】
【発明が解決しようとする課題】
【０００４】
電気式床暖房装置の安全運転は、通常の使用状態では充分に保証されている。しかし、一般に構造部材は、その構造上からくる寿命を当然に有しており、例えば電気式床暖房パネルの場合、１０年程度の長期にわたって継続して使用されると、歩行等による荷重が繰り返し加わることで、内部に組み込んだコード状ヒータにひずみによる応力が繰り返しかかり、その影響で疲労断線が起こる可能性がある。断線すると断線箇所でスパークが発生し、燃焼を起こす恐れがある。
【０００５】
本発明は、上記のように製品寿命を超えたときに起こる可能性のある、コード状ヒータの断線に起因する燃焼等の不都合に対して、安全設計を施した電気式床暖房パネルおよびそれを用いた電気式床暖房装置を提供することを課題とする。
【課題を解決するための手段】
【０００６】
上記の課題を解決する本発明による電気式床暖房パネルは、木質基材の裏面にコード状ヒータによる発熱回路を組み込んだ電気式床暖房パネルであって、前記コード状ヒータは、第１と第２の２本のヒータ線と１本の検知線とからなり、前記第１のヒータ線と前記検知線とはそれぞれが第１の被覆樹脂で被覆されており、前記第２のヒータ線は前記第１の被覆樹脂の溶融温度よりも高い溶融温度を持つ第２の被覆樹脂で被覆されている３線式コード状ヒータであり、前記発熱回路には、少なくとも前記第１の被覆樹脂が溶融することにより生じる前記第１のヒータ線と前記検知線との短絡により前記検知線に流れる電流に起因して溶断するヒューズが前記第２のヒータ線側に接続されており、前記３線式コード状ヒータの前記第１と第２の２本のヒータ線の一方端は直接的にまたは間接的に電源に接続しており、他方端は互いに接続している、ことを特徴とする。
【０００７】
また、上記の課題を解決する本発明による電気式床暖房装置は、上記本発明による電気式床暖房パネルの複数枚が並列接続した状態で床下地面に敷き詰められていることを特徴とする。
【０００８】
本発明による電気式床暖房パネルおよび電気式床暖房装置において、通常の使用状態では、３線式コード状ヒータの前記第２のヒータ線側に接続されているヒューズには、ヒータ線の持つ抵抗値に応じた電流が流れており、ヒューズが溶断することなく、正常な運転が継続する。
【０００９】
製品寿命を超えた長期の使用等により、電気式床暖房パネルに組み込まれた３線式コード状ヒータに疲労断線等による部分断線等が生じた場合、スパーク等の発生によりその近傍に設定値以上の発熱が生じ、そのまま使用を継続すると発火に至る恐れがある。本発明による電気式床暖房パネルは、発火に至るような危険が生じるのを確実に回避する。
【００１０】
すなわち、本発明による電気式床暖房パネルでは、前記した第１と第２の２本のヒータ線と１本の検知線とからなる固有の構成の３線式コード状ヒータを用いており、第１と第２の２本のヒータ線のいずれかの箇所において断線が生じて設定以上の異常発熱が生じた場合、その発熱により、前記第２のヒータ線を被覆している第２の被覆樹脂と比較して溶融温度が低い前記第１のヒータ線と検知線とを被覆している第１の被覆樹脂が溶融する。
【００１１】
絶縁層として機能していた第１の被覆樹脂が溶融することにより、第１のヒータ線と検知線が短絡状態となる。この短絡により検知線には高い値の短絡電流が流れ、この短絡電流に起因して、第２のヒータ線側に接続しているヒューズが溶断する。このヒューズの溶断により、当該電気式床暖房パネルに対するコントローラからの電力の供給は完全に遮断されるので、それ以降は、断線箇所においてスパーク等が発生することはなく、燃焼に至るような事態となるのを確実に阻止される。すなわち、事故発生時に安全サイドに導かれる。
【００１２】
本発明による電気式床暖房パネルにおいて、前記したヒューズの例として過電流ヒューズが挙げられる。この場合には、前記した検知線を流れる高い値の短絡電流がヒューズを流れることによって、ヒューズは溶断する。前記ヒューズの他の例として、検知線に流れる電流が抵抗器に流れて発熱することに起因して溶断するヒューズが挙げられる。より具体的には、抵抗器付き温度ヒューズである。この場合、前記検知線は前記抵抗器付き温度ヒューズの抵抗器に接続している。
【００１３】
上記のように、本発明による電気式床暖房パネルでは、３線式コード状ヒータのいずれの箇所で断線による異常発熱が生じても、検知線は必ず第１のヒータ線側と短絡するので、検知線に流れる電流に起因して溶断するヒューズを１個のみ第２のヒータ線側に接続すればすみ、また、ダイオードも不要となるので、有効ヒータゾーンが大きくなると共に、低コストで発熱回路を構成することが可能となる。
【００１４】
前記３線式コード状ヒータは、第１と第２の２本のヒータ線の一方端は直接的にまたは間接的に電源に接続し、他方端は互いに接続している構成であり、木質基材の裏面に３線式コード状ヒータによる発熱回路を組み込む作業は、ヒータ線を単に床基材裏面に形成した溝内に埋め込んでいけばよく、閉ループを作る必要がないので、電気式床暖房パネルへのヒータ線の組み込み作業は簡素化され、ＮＣによる配線も可能となる。さらに、一本の３線式コード状ヒータ内で、実質的に平行に走る第１と第２の２本のヒータ線を電流が往復で流れることから磁界が打ち消し合うようになり、電気式床暖房パネルからの電磁波の発生もカットされる。
【００１５】
本発明による電気式床暖房パネルの全体形状は任意であり、矩形状、長尺状の単位ピースが長手方向に位置をずらしながら雁木状に組み付けられた形状、などを例示できる。木質基材の裏面に緩衝材層が貼着されている形態であってもよく、この形態の電気式床暖房パネルは、直貼り式の床暖房パネルとして有効に用いることができる。
【００１６】
本発明による電気式床暖房パネルは、コード状ヒータとして３線式コード状ヒータを用いており、結線箇所が通常のコード状ヒータの場合と比較して多くなる。そのために、結線箇所を一箇所に集中させると、結線箇所を収容するために木質基材の裏面に形成する空所が広い面積のものとなる。木質基材の裏面にそのような広い面積の空所を形成すると、木質基材の強度低下とともに、床面を歩いたときに、少し凹むような他の部分と異なる踏み感（歩行感）を歩行者に与える恐れがある。それを回避するために、本発明による３線式コード状ヒータの一端側が木質基材側に配線してある電源線からのリード線と直接またはヒューズを介して結線している電気式床暖房パネルにおいて、好ましくは、前記各結線箇所を、木質基材の長手方向または幅方向またはその双方向に分散して配置するようにされる。この形態では、接線箇所を収容する空所を、複数個のより小さな面積のものに分散させることができ、強度低下もなく快適な歩行感を維持することができる。
【００１７】
本発明による電気式床暖房装置は、上記した電気式床暖房パネルの複数枚が並列接続した状態で床下地面に敷き詰められて構成される。並列接続した構成であることから、事故発生時に安全サイドに導かれて使用できなくなった電気式床暖房パネルを、それ単独で、新しいものと交換することが可能となる。
【発明の効果】
【００１８】
本発明によれば、製品寿命を超えたときにあるいは地震のような異常事態が発生したときに起こる可能性のある、３線式コード状ヒータの断線に起因する燃焼等の不都合に対して、有効な安全設計を施した電気式床暖房パネルが提供される。また、本発明による電気式床暖房パネルは、３線式コード状ヒータの木質基材への組み込みを容易であり、部品数も少なくてすむことから、低コストでの提供が可能となる。
【発明を実施するための最良の形態】
【００１９】
以下、図面を参照しながら、本発明を実施の形態により説明する。図１は電気式床暖房装置の全体を示す概略図、図２は電気式床暖房パネルの一例を説明する図、図３は電気式床暖房装置全体の電気回路図の一例である。図４は電気式床暖房パネルに組み込まれた３線式コード状ヒータを説明する図、図５は電気式床暖房パネルにおける発熱回路を説明する図、図６と図７は発熱回路に断線が発生したときの２つの態様を説明するための図である。図８から図１０は、本発明による電気式床暖房パネルにおけるさらに他の態様を説明している。
【００２０】
電気式床暖房装置Ａは、床下地１０の上に、図２に一例を示すような、木質基材３１の裏面に３線式コード状ヒータ２０による発熱回路を組み込んだ電気式床暖房パネル３０の複数枚を電気的に並列に接続して敷き詰めて構成され、各電気式床暖房パネル３０には、外部からの商用電力がコントローラ４０を介して供給される。コントローラ４０は、前記特許文献１に記載のような従来知られた電気式床暖房装置で用いられているものであってよく、加熱エリアの特定、通電の開始と停止、定常運転モードでの温度レベル設定、などの機能が備えられる。
【００２１】
電気式床暖房パネル３０は、図２（ａ）に緩衝材層を除去した状態の背面図の一例に示すように、木質基材３１を有し、その裏面には配線溝が形成され、該配線溝の中には、図４に示す３線式コード状ヒータ２０が埋め込まれている。埋め込まれた３線式コード状ヒータ２０の一方端側は、後記する抵抗器付き温度ヒューズセット５０（図５参照）を介して、電源コンセント６０に接続しており、他方端側はフリーとなっている。また、木質基材３１の裏面には、必須ではないが、図２（ｂ）に示すように、遮音溝３６が形成され、さらに、直貼り床材として用いることができるように、緩衝材層３７が貼り付けられている。この例において緩衝材層３７は、不織布層３８と樹脂発泡体層３９との２層構成とされている。
【００２２】
図３は、電気式床暖房装置Ａの電気回路図であり、交流電源は、コントローラ４０から並列接続した複数枚の電気式床暖房パネル３０にそれぞれ供給される。
【００２３】
図４に示すように、３線式コード状ヒータ２０は、第１のヒータ線２１と、第２のヒータ線２２と、銅線のような電気抵抗の小さい線からなる検知線２３とからなる３線式ヒータであり、各線は、ヒータ線の異常発熱等で溶融する非導電性材料からなる被覆樹脂２４，２５，２６でそれぞれ被覆されている。図４（ｂ）に示すように３本の線は寄り合わされて一本の線となり、その全体が図４（ａ）に示すように耐熱ＰＶＣのような断熱性のある非導電性材料からなる被覆材２７により覆われている。
【００２４】
被覆樹脂２４，２５，２６は、ナイロン系樹脂あるいはポリアミド系樹脂のような熱可塑性樹脂である。ただし、第１のヒータ線２１を被覆する第１の被覆樹脂２４と第２のヒータ線２２を被覆する第２の被覆樹脂２５には、溶融温度の異なる樹脂が用いられており、この例で、第１の被覆樹脂２４の溶融温度は１７０℃、第２の被覆樹脂２５の溶融温度は２２０℃である。すなわち、第２のヒータ線２２は第１の被覆樹脂２４の溶融温度よりも高い溶融温度を持つ第２の被覆樹脂２５で被覆されている。また、検知線２３を覆う被覆樹脂２６には、前記した比較して溶融温度の低い第１の被覆樹脂２４と同じ樹脂が用いられている。
【００２５】
これらの被覆樹脂２４，２５，２６は、通常の運転時ではそのままで存在しており、絶縁材として機能している。しかし、第１のヒータ線２１または第２のヒータ線２２に断線あるいは部分断線等が生じてスパーク等が発生して、溶融温度を超える異常加熱状態が部分的に発生したときには、溶融して絶縁機能を喪失する。
【００２６】
本発明において、各電気式床暖房パネル３０における発熱回路は、図５に示すような構成を備える。図５において、２０は上記の３線式コード状ヒータを示し、５０は抵抗器付き温度ヒューズセット５０を示す。３線式コード状ヒータ２０の一方端側は、抵抗器付き温度ヒューズセット５０を介して、電源に接続しており、他方端側は直接あるいはこの例のようにサーモスタット５４を介して互いに接続している。
【００２７】
より詳しくは、抵抗器付き温度ヒューズセット５０は、一方側で電源コンセント６０の一方極に適宜の結線具を介して接続し、他方側で３線式コード状ヒータ２０の第２のヒータ線２２と検知線２３に結線具を介して接続する。そして、前記第２のヒータ線２２に接続する側にはヒューズ５１が備えられる。さらに、前記検知線２３に結線具を介して接続する配線５２を備えており、該配線５２の他端は第２のヒータ線２２側に接続している。そして、前記配線５２には前記ヒューズ５１に近接する位置に抵抗器５３が取り付けてあり、検知線２３に流れる電流が抵抗器５３に流れて発熱するときに、その熱によってヒューズ５１は溶断するように設計されている。この例で、抵抗器５３の抵抗は１５０Ωであり、第１と第２のヒータ線２１，２２の抵抗値（例えば３００Ω）よりも低い。また、ヒューズ５１は９９℃で溶断するようにされている。電源コンセント６０の他方極は３線式コード状ヒータ２０の第１のヒータ線２１に接続している。
【００２８】
上記の発熱回路において、電気式床暖房Ａが正常に運転している環境では、供給される電力は、高い抵抗値を持つ第１のヒータ線２１と第２のヒータ線２２とを循環するように流れ、その発熱により床暖房が行われる。正常運転での温度制御等は前記したコントローラ４０により行われる。正常運転時に前記配線５２および検知線２３には電流は流れず、またヒューズ５１を流れる電流は、大きな抵抗値を持つヒータ線２２の抵抗値に依存する小さな値であり、ヒューズ５１が溶断することはない。
【００２９】
製品寿命を超えてもなお継続使用していると、使用者が知らないうちに第１のヒータ線２１と第２のヒータ線２２のいずれかに部分断線が生じ、接触抵抗が異常に増加してスパーク等による異常加熱が生じる場合がある。図６は、そのような断線が第１のヒータ線２１において起こった場合の状態を説明している。第１のヒータ線２１のいずれかの箇所Ｐでスパーク等による異常加熱が生じたときに、その箇所の第１の被覆樹脂２４は溶融し、そこに近接する検知線２３を被覆する被覆樹脂２６も溶融する。
【００３０】
双方の被覆樹脂が溶融することにより、図６に領域Ｑで示すように、第１のヒータ線２１と検知線２３とが短絡した状態となり、電流は、その短絡箇所から検知線２３側に流れる。検知線２３に電流が流れることにより、前記のように抵抗器５３は発熱し、その熱によってヒューズ５１は溶断する。ヒューズ５１が溶断することよりコントローラ４０から発熱回路への電力供給は完全に遮断されるので、断線箇所Ｐでのそれ以上の発熱やスパークは起こらない。それにより、電気式床暖房パネル３０の裏面に積層した前記した不織布層３８や樹脂発泡体層３９からなる緩衝材層３７が着火するという事態は確実に回避される。
【００３１】
図７は、断線が第２のヒータ線２２において起こった場合の状態を説明している。第２のヒータ線２２のいずれかの箇所でスパーク等による異常加熱が生じたときに、その箇所の第２の被覆樹脂２５が昇温する。第２の被覆樹脂２５の溶融温度は、第１のヒータ線２１および検知線２３を被覆している第１の被覆樹脂２４，２６の溶融温度よりも高く設定してあるので、第２の被覆樹脂２５が溶融する前に、第１のヒータ線２１および検知線２３を被覆している第１の被覆樹脂２４，２６が溶融する。それにより、図６において説明したと同様に、領域Ｑにおいて、第１のヒータ線２１と検知線２３とが短絡した状態となる。
【００３２】
抵抗器５３の抵抗値は第２のヒータ線２２の抵抗値より低い値に設定してあるので、第１のヒータ線２１と検知線２３との短絡により、検知線２３側により多くの電流が流れるようになり、抵抗器５３は発熱する。それにより、この場合にも、第１のヒータ線２１側で断線が起こった場合と同様に、ヒューズ５１は溶断する。
【００３３】
上記した形態の抵抗器付き温度ヒューズセット５０を用いる場合に、抵抗器５３の容量が小さい場合には、短絡時に抵抗器５３からの発熱によりヒューズ５１が溶断する前に、短絡時に抵抗器５３を流れる電流によって、抵抗器５３そのものが破損（抵抗器断線）することが起こり得る。そのような場合には、第２のヒータ線２２の抵抗値と等しいかそれよりも高い値の抵抗値を持つ抵抗器５３を用いる。それにより、ヒューズ５１が溶断するまでに要する時間は長くはなるとしても、抵抗器５３の破損によりヒューズ５１の溶断が起こらないという不都合を回避できる。以下に、本発明者らが行った試験例を示す。
【００３４】
抵抗値が３００Ωである第１と第２のヒータ線を持つ３線式コード状ヒータと、抵抗値が１００Ωである抵抗器５３を備えた抵抗器付き温度ヒューズセット５０を用いて、発熱回路を形成した。電源線付近で短絡を発生させたところ、抵抗器５３からの発熱によりヒューズ５１が溶断する前に、抵抗器断線が生じた。同じ形態の抵抗器付き温度ヒューズセットであって、抵抗値が異なる抵抗値５３を備えた抵抗器付き温度ヒューズセットを用いて発熱回路を形成したところ、抵抗器断線は生じずに、ヒューズ溶断が得られた。表１にその結果を示した。
【００３５】
【表１】
0005236316.tif 000002
【００３６】
図３に示すように、本発明による電気式床暖房装置Ａでは、上記の電気式床暖房パネル３０の複数枚が並列接続した状態で床下地面に敷き詰められている。そのために、上記のようなヒューズ５１の溶断は、個々の電気式床暖房パネル３０において生じることとなり、他の電気式床暖房パネル３０の運転には影響を与えない。必要な場合には、電気式床暖房装置Ａはそのまま継続して運転することもできる。その際にも、安全性は確保される。また、溶断が生じた電気式床暖房パネル３０のみを簡単に交換することも可能である。
【００３７】
なお、上記した例は、本発明の好ましい態様であって、本発明はこれに限らない。別途形成した抵抗器付き温度ヒューズセット５０を用い、それを介して電源６０と３線式コード状ヒータ２０を接続するようにしたが、抵抗器付き温度ヒューズと３線式コード状ヒータとが一体化したもの作り、それを木質基材３１の裏面に形成した配線溝内に埋め込むようにしてもよい。この態様は、電気式床暖房パネル３０の製造工程をより簡素化できる利点がある。なお、過電流ヒューズを使用する場合には、前記した抵抗器５３は組み込まれない。
【００３８】
また、上記したように、本発明による電気式床暖房パネル３０は、異常時での安全性が確保されることに加え、木質基材３１の裏面に３線式コード状ヒータ２０による発熱回路を組み込む作業は、３線式コード状ヒータ２０を単に床基材裏面に形成した溝内に埋め込んでいけばよく、閉ループを作る必要がないので、電気式床暖房パネルへのヒータ線の組み込み作業は大きく簡素化される効果がもたらされる。場合によっては、ＮＣによる配線も可能となる。さらに、一本の３線式コード状ヒータ２０内で、実質的に平行に走る第１と第２の２本のヒータ線２１，２２を電流が往復で流れることから磁界が打ち消し合うようになり、電気式床暖房パネル３０からの電磁波の発生もカットされる。
【００３９】
図８（ａ）は、本発明による電気式床暖房パネル３０の他の例を、緩衝材層を除去した状態の背面図で示している。電気式床暖房パネル３０は木質基材３１を有し、木質基材３１の裏面には配線溝が形成され、配線溝の中には前記３線式コード状ヒータ２０が埋め込まれている。さらに、電気式床暖房パネル３０は２つの電源コンセント６０を有し、その間に電源線６１が配設され、そこからリード線６２，６３が引き出されている。これらも木質基材３１に形成した配線溝に入り込んでいる。
【００４０】
一方のリード線６２は、適宜の結線具６４を介して、３線式コード状ヒータ２０の第１のヒータ線２１に接続し（接続箇所１）、他方のリード線６３は、図５に示した形態の抵抗器付き温度ヒューズセット５０のヒューズ５１側に接続し（接続箇所２）、該ヒューズ５１からの配線５１ａは、やはり結線具６４を介して、３線式コード状ヒータ２０の第２のヒータ線２２に接続している（接続箇所３）。さらに、抵抗器付き温度ヒューズセット５０の抵抗器５３に接続する配線５２は、やはり結線具６４を介して、３線式コード状ヒータ２０の検知線２３に接続している（接続箇所４）。さらに、３線式コード状ヒータ２０の他端側において、前記検知線２３については端末処理２３ａがなされると共に、第１と第２のヒータ線２１，２２の末端は、ここでも適宜の結線具６４を介して、サーモスタット５４の端子線に接続している（接続箇所５，６）。
【００４１】
特に図示しないが、従来のものでは、電源線とサーモスタットリード線、サーモスタットリード線とヒータ線、ヒータ線と温度ヒューズ、温度ヒューズと電源リード線、の４つの接続箇所であり、本発明による回路では、接続箇所が増加する。
【００４２】
図８（ａ）に示すように、上記した各結線部は、裏面の平坦性を確保するために、抵抗器付き温度ヒューズセット５０あるいはサーモスタット５４と共に、木質基材３１の裏面に形成された空所７０内に入り込むようにされるが、結線具６４は比較的大きなものであり、図８（ｂ）に示すように、３線式コード状ヒータ２０の第１と第２のヒータ線２１，２２および検知線２３の外側被覆材２７から外に出ている長さを同じ長さに切断して、結線作業を行うと、図８（ａ）に示すように、２個あるいは３個の結線具６４が一箇所に集中しかつ並列した状態となり、その全体を収容するためには、大きな面積の空所７０を木質基材３１の裏面に形成することが必要となる。特に、リード線６２，６３と３線式コード状ヒータ２０との結線部では、３つの結線具６４が存在することから、より幅が広くかつ大面積の空所７０が必要となる。
【００４３】
木質基材３１の裏面に広い面積の空所７０を形成すると、前記したように、木質基材３１の強度低下とともに、施工後の暖房床面を歩いたときに、わずかな凹みが生じて他の部分と異なる踏み感を歩行者に与える恐れがある。図９（ａ）は、本発明による電気式床暖房パネル３０の他の例を示す図８（ａ）に相当する図であり、この電気式床暖房パネル３０は、結線部を改良することにより、上記の不都合を解消している。
【００４４】
すなわち、ここでは、図９（ｂ）に示すように、３線式コード状ヒータ２０の第１と第２のヒータ線２１，２２および検知線２３の外側被覆材２７から外に出ている長さが異なる長さとなるように切断し、それを用いて、図８（ａ）に示したものと同様にして、結線作業を行っている。なお、図９（ａ）において、図８（ａ）におけると同じ部材には同じ符号を付し、詳細な説明は省略する。
【００４５】
図示されるように、抵抗器付き温度ヒューズセット５０と３線式コード状ヒータ２０との間の２つの結線具６４ａ，６４ｂは、木質基材３１の長手方向に分散して配置しており、そのために、空所７０ａは、図８（ａ）に示した電気式床暖房パネル３０における空所７０よりも、幅の狭いものとなっている。また、リード線６２と３線式コード状ヒータ２０（の第１のヒータ線２１）との間の結線具６４ｃは、前記結線具６４ａ，６４ｂから木質基材３１の幅方向に分散した位置に配置され、該結線具６４ｃを収容するために、空所７０ａとは異なる独立した小さな空所７０ｂが木質基材３１の裏面に形成されている。
【００４６】
このように、電源線６１からのリード線６２，６３と３線式コード状ヒータ２０との結線箇所を木質基材３１の長手方向または幅方向またはその双方向に分散して配置させることにより、結線具６４を収容するための空所７０をより小さなものとすることができ、前記した、木質基材３１の強度低下や、施工後の暖房床面を歩いたときに感じる異なる踏み感等を解消することができる。
【００４７】
図１０は、３個の結線具６４を分散させる他の態様を示している。図１０（ａ）では、３個の結線具６４をすべて木質基材３１の長手方向にずらして配置しており、このように分散させることによって、図８（ａ）に示したものと比較して、空所７０の横幅を狭くしている。図１０（ｂ）では、３個の結線具６４を個々に分散させ、それぞれ独立した小さな空所７０内に収容している。このような態様も、検知線２３に流れる電流に起因して溶断するヒューズの形態およびそのヒューズと第２のヒータ線側との接続態様を適宜選択することにより、採用可能である。
【図面の簡単な説明】
【００４８】
【図１】本発明による電気式床暖房装置の全体を示す概略図。
【図２】電気式床暖房パネルの一例を説明する図。
【図３】本発明による電気式床暖房装置の電気回路図。
【図４】電気式床暖房パネルに組み込まれた３線式コード状ヒータを説明する図。
【図５】電気式床暖房パネルに組み込まれる発熱回路を説明する図。
【図６】発熱回路に異常発熱が生じたときの第１の態様を説明する図。
【図７】発熱回路に異常発熱が生じたときの第２の態様を説明する図。
【図８】電気式床暖房パネルの他の形態を説明する図。
【図９】電気式床暖房パネルのさらに他の形態を説明する図。
【図１０】電気式床暖房パネルにおける結線具は分散状態のさらに他の態様を説明する図。
【符号の説明】
【００４９】
Ａ…電気式床暖房装置、１０…床下地、２０…３線式コード状ヒータ、２１…第１のヒータ線、２２…第２のヒータ線、２３…検知線、２７…被覆材、２４、２６…第１の被覆樹脂、２５…第２の被覆樹脂、３０…電気式床暖房パネル、３１…木質基材、３６…遮音溝、３７…緩衝材層、４０…コントローラ、５０…抵抗器付き温度ヒューズセット、５１…ヒューズ、５２…検知線に接続する配線、５３…抵抗器、５４…サーモスタット、６０…電源コンセント、６１…電源線、６２，６３…リード線、６４，６４ａ，６４ｂ…結線具、７０，７０ａ，７０ｂ…主に結線具を収容するため空所
【図１】
0005236316.tif 000003
【図２】
0005236316.tif 000004
【図３】
0005236316.tif 000005
【図４】
0005236316.tif 000006
【図５】
0005236316.tif 000007
【図６】
0005236316.tif 000008
【図７】
0005236316.tif 000009
【図８】
0005236316.tif 000010
【図９】
0005236316.tif 000011
【図１０】
0005236316.tif 000012